(57)【要約】【課題】プリンタを利用しない場合に排紙口を閉じた状態に設定する機構を提供する。【解決手段】プリンタ部および表示部を有する情報処理装置において、プリンタ利用ポジションから画像表示ポジションに移行した場合、開閉扉の自重によってプリンタ部の排紙口を閉じた状態にする。例えば開閉扉の回転軸を偏心円錐形に設定し、軸受けの凹部の形状を扉が閉じた状態で回転軸の偏心円錐形に契合する形状とした。あるいは開閉扉の回転軸の軸端面に傾斜を持つレールを設定し、軸受けの凹部に扉が閉じた状態で傾斜レールに契合する溝を設定した。あるいは回転軸と軸受けに扉が閉じた状態で契合する突部と凹部を設けた。このような構成により、画像表示ポジションでは排紙口を閉状態に維持でき、排紙口からのほこり進入を防止できる。【選択図】図７
2011042113.tif 000002
【特許請求の範囲】
【請求項１】
印刷処理を実行するプリンタ部を有する情報処理装置であり、
前記プリンタ部は、
プリント用紙の排紙を行う排紙口と、前記排紙口の開閉用の開閉扉を有し、
前記開閉扉は前記開閉扉端部に設けられた回転軸の回転により前記排紙口の開閉動作を行う構成であり、
前記プリンタ部による印刷を行う前記情報処理装置の第１姿勢である印刷ポジションと異なる第２姿勢に前記情報処理装置が設定され、前記第２姿勢が前記回転軸端部方向に前記開閉扉の自重を印加する姿勢である場合、前記開閉扉の自重により前記排紙口を閉状態に維持する開閉扉ロック機構を有する情報処理装置。
【請求項２】
前記情報処理装置は、
画像表示を行う表示部を有し、
前記第２姿勢は前記表示部に画像表示を行うための画像表示ポジションであり、
前記閉扉ロック機構は、前記画像表示ポジションが前記回転軸端部方向に前記開閉扉の自重が印加される姿勢である場合、前記開閉扉の自重により前記排紙口を閉状態に維持する請求項１に記載の情報処理装置。
【請求項３】
前記情報処理装置は、さらに、
前記回転軸端部方向に前記開閉扉の自重が印加される前記第２姿勢に設定された場合、前記開閉扉の自重により前記排紙口を閉じるように回転させる開閉扉自動回転機構を有する請求項１または２に記載の情報処理装置。
【請求項４】
前記回転軸は中心軸が偏った偏心円錐形を有し、
前記回転軸を挿入する軸受けは、前記開閉扉が閉じた位置で前記偏心円錐形と契合する凹部を有する構成であり、
前記開閉扉自動回転機構は、前記回転軸と前記軸受けの組み合わせによって構成されたものである請求項３に記載の情報処理装置。
【請求項５】
前記回転軸は、軸端面の一部領域に突出量が円周方向に沿って漸増する傾斜レールを有し、
前記回転軸を挿入する軸受けは、前記開閉扉が閉じた位置で前記傾斜レールと契合する傾斜溝を有する構成であり、
前記開閉扉自動回転機構は、前記回転軸と前記軸受けの組み合わせによって構成されたものである請求項３に記載の情報処理装置。
【請求項６】
前記回転軸は、前記回転軸端面の一部領域に突部を有し、
前記回転軸を挿入する軸受けは、前記開閉扉が閉じた位置で前記突部と契合する凹部を有する構成であり、
前記開閉扉ロック機構は、前記回転軸の突部と、前記軸受けの凹部との組み合わせによって構成されたものである請求項１〜５いずれかに記載の情報処理装置。
【請求項７】
前記回転軸の形成された回転軸形成面の一部領域に突部を有し、
前記軸受けの形成された軸受け形成面は、前記開閉扉が閉じた位置で前記突部と契合する凹部を有する構成であり、
前記開閉扉ロック機構は、前記回転軸形成面の突部と、前記軸受け形成面の凹部との組み合わせによって構成されたものである請求項１〜５いずれかに記載の情報処理装置。
【発明の詳細な説明】
【技術分野】
【０００１】
本発明は、情報処理装置に関する。さらに詳細には、フォトフレーム機能とプリンタ機能を兼ね備えた情報処理装置において、プリント用紙の排紙口に開閉扉を設けた情報処理装置に関する。
【背景技術】
【０００２】
近年、例えばデジタルカメラで撮影した写真などを表示する写真立てタイプの表示装置としてデジタルフォトフレームが多く利用されている。デジタルフォトフレームは、例えばデジタルカメラの撮影画像を記録したフラッシュメモリなどの記録メディアを装着してメディアの記録画像を液晶ディスプレイ（ＬＣＤ）等からなる表示部に表示する機能を持つ。ユーザはメディアに記録された多数の画像データから選択した好みの写真を表示部に表示してフォトフレームとして利用することができる。なお、フォトフレームについては例えば特許文献１（特開２００９−４５１３９号公報）に記載がある。
【０００３】
また、例えばＵＳＢ端子からＵＳＢケーブルを介してプリンタと接続して表示部に表示された画像をプリンタに出力することを可能とした構成を持つものもある。
さらに、デジタルフォトフレームとプリンタとを一体化した装置もある。このような一体化装置では、印刷処理を行う場合、プリンタ部に用紙トレイを装着して、印刷処理を行うことになる。
【０００４】
デジタルフォトフレームとプリンタとを一体化した装置は多くの場合、小型の装置であり、印刷用紙の用紙トレイは印刷時にのみ装着して印刷が行われる。また、プリント用紙の排出するための用紙の出口が装置に設けられ、用紙の出口からプリントされた用紙が排出される。
【０００５】
また、例えば、プリンタ内部に装着したインクリボンを利用したカラー印刷処理を行う装置の場合、印刷用紙に対してＹＭＣそれぞれの色の印刷を順次実行する。この印刷処理では、まず用紙トレイから１枚の印刷用紙がプリンタ内部に引き込まれ、ＹＭＣ中の［Ｙ］についての印刷が実行され、Ｙ印刷の終了用紙が用紙排紙口からプリンタ外部に排出される。さらに、排出用紙が、再度、プリンタ内部に引き込まれて［Ｍ］の印刷がなされ、さらに［Ｃ］の印刷がなされて用紙排紙口から排出されるといったシーケンスで印刷処理が行われる。
【０００６】
このように、小型のプリンタ装置は印刷処理を行う場合、用紙の排紙口を利用して用紙の排出処理や引き込み処理が行われる。例えば、プリンタとフォトフレームが一体化した装置において、プリント処理の実行時には、この用紙の排紙口はオープン、すなわち開いた状態であることが必要であるが、フォトフレームとして利用する場合、用紙の排紙口が開いた状態であると、内部にほこりが入り易くなり、故障の原因となる。従って、フォトフレームとして利用する場合、用紙の排紙口はクローズ、すなわち閉じた状態にするのが好ましい。
【０００７】
これを解決する構成として用紙の排紙口に開閉する扉を設けることが考えられる。しかし、開閉扉を設けたとしても、ユーザがプリンタ使用後、フォトフレーム利用に切り換える際に扉の開閉を忘れてしまうことが想定される。ユーザが扉を閉じることを忘れ、用紙排紙口を開いたまま長期間フォトフレームの使用を続けると、装置内部にほこりが進入し、故障を発生させる確率を高めるという問題がある。
【先行技術文献】
【特許文献】
【０００８】
【特許文献１】特開２００９−４５１３９号公報
【発明の概要】
【発明が解決しようとする課題】
【０００９】
本発明は、例えば上述の問題点に鑑みてなされたものであり、フォトフレームのような画像表示機能とプリンタ機能を兼ね備えた装置において、プリント用紙の排紙口に開閉扉を設置し、開閉扉をプリンタ利用時には開いた状態、プリンタ非利用時には閉じた状態に設定することでほこりなどの進入を防止可能とした情報処理装置を提供することを目的とする。
【課題を解決するための手段】
【００１０】
本発明の第１の側面は、
印刷処理を実行するプリンタ部を有する情報処理装置であり、
前記プリンタ部は、
プリント用紙の排紙を行う排紙口と、前記排紙口の開閉用の開閉扉を有し、
前記開閉扉は前記開閉扉端部に設けられた回転軸の回転により前記排紙口の開閉動作を行う構成であり、
前記プリンタ部による印刷を行う前記情報処理装置の第１姿勢である印刷ポジションと異なる第２姿勢に前記情報処理装置が設定され、前記第２姿勢が前記回転軸端部方向に前記開閉扉の自重を印加する姿勢である場合、前記開閉扉の自重により前記排紙口を閉状態に維持する開閉扉ロック機構を有する情報処理装置にある。
【００１１】
さらに、本発明の情報処理装置の一実施態様において、前記情報処理装置は、画像表示を行う表示部を有し、前記第２姿勢は前記表示部に画像表示を行うための画像表示ポジションであり、前記閉扉ロック機構は、前記画像表示ポジションが前記回転軸端部方向に前記開閉扉の自重が印加される姿勢である場合、前記開閉扉の自重により前記排紙口を閉状態に維持する。
【００１２】
さらに、本発明の情報処理装置の一実施態様において、前記情報処理装置は、さらに、前記回転軸端部方向に前記開閉扉の自重が印加される前記第２姿勢に設定された場合、前記開閉扉の自重により前記排紙口を閉じるように回転させる開閉扉自動回転機構を有する。
【００１３】
さらに、本発明の情報処理装置の一実施態様において、前記回転軸は中心軸が偏った偏心円錐形を有し、前記回転軸を挿入する軸受けは、前記開閉扉が閉じた位置で前記偏心円錐形と契合する凹部を有する構成であり、前記開閉扉自動回転機構は、前記回転軸と前記軸受けの組み合わせによって構成されたものである。
【００１４】
さらに、本発明の情報処理装置の一実施態様において、前記回転軸は、軸端面の一部領域に突出量が円周方向に沿って漸増する傾斜レールを有し、前記回転軸を挿入する軸受けは、前記開閉扉が閉じた位置で前記傾斜レールと契合する傾斜溝を有する構成であり、前記開閉扉自動回転機構は、前記回転軸と前記軸受けの組み合わせによって構成されたものである。
【００１５】
さらに、本発明の情報処理装置の一実施態様において、前記回転軸は、前記回転軸端面の一部領域に突部を有し、前記回転軸を挿入する軸受けは、前記開閉扉が閉じた位置で前記突部と契合する凹部を有する構成であり、前記開閉扉ロック機構は、前記回転軸の突部と、前記軸受けの凹部との組み合わせによって構成されたものである。
【００１６】
さらに、本発明の情報処理装置の一実施態様において、前記回転軸の形成された回転軸形成面の一部領域に突部を有し、前記軸受けの形成された軸受け形成面は、前記開閉扉が閉じた位置で前記突部と契合する凹部を有する構成であり、前記開閉扉ロック機構は、前記回転軸形成面の突部と、前記軸受け形成面の凹部との組み合わせによって構成されたものである。
【００１７】
本発明のさらに他の目的、特徴や利点は、後述する本発明の実施例や添付する図面に基づく詳細な説明によって明らかになるであろう。
【発明の効果】
【００１８】
本発明の一実施例の構成によれば、プリンタ部および表示部を有するデジタルフォトフレームなどの情報処理装置において、プリンタ利用ポジションから画像表示ポジションに移行した場合、開閉扉の自重によってプリンタ部の排紙口を閉じた状態にするように開閉扉を動作させて、その状態に維持させる構成とした。例えば開閉扉の回転軸を偏心円錐形に設定し、軸受けの凹部の形状を扉が閉じた状態で回転軸の偏心円錐形に契合する形状とした。あるいは開閉扉の回転軸の軸端面に傾斜を持つレールを設定し、軸受けの凹部に扉が閉じた状態で傾斜レールに契合する溝を設定した。あるいは回転軸と軸受けに扉が閉じた状態で契合する突部と凹部を設けた。このような構成により、プリンタ利用ポジションから画像表示ポジションに移行した場合、開閉扉の自重によってプリンタ部の排紙口を閉じて閉状態に維持することが可能となり、例えばフォトフレームとしての利用時に排紙口からのほこり進入を防止できる。
【図面の簡単な説明】
【００１９】
【図１】本発明の情報処理装置の利用態様の例について説明する図である。
【図２】本発明の情報処理装置のプリンタとしての利用処理例について説明する図である。
【図３】本発明の情報処理装置の各利用態様における開閉扉の理想的な設定について説明する図である。
【図４】印刷ポジションと横画像表示ポジションにおける開閉扉の動きについて説明する図である。
【図５】印刷ポジションと縦画像表示ポジションにおける開閉扉の動きについて説明する図である。
【図６】本発明の第１実施例に係る開閉扉の回転軸と軸受け構成について説明する図である。
【図７】本発明の第１実施例に係る開閉扉の回転軸と軸受け構成について説明する図である。
【図８】本発明の第１実施例に係る開閉扉の回転軸と軸受け構成について説明する図である。
【図９】本発明の第２実施例に係る開閉扉の回転軸と軸受け構成について説明する図である。
【図１０】本発明の第２実施例に係る開閉扉の回転軸と軸受け構成について説明する図である。
【図１１】本発明の第２実施例に係る開閉扉の回転軸と軸受け構成について説明する図である。
【図１２】本発明の第２実施例に係る開閉扉の回転軸と軸受け構成について説明する図である。
【図１３】本発明の第３実施例に係る開閉扉の回転軸と軸受け構成について説明する図である。
【図１４】本発明の第３実施例に係る開閉扉の回転軸と軸受け構成について説明する図である。
【図１５】本発明の第４実施例に係る開閉扉の回転軸と軸受け構成について説明する図である。
【図１６】本発明の第４実施例に係る開閉扉の回転軸と軸受け構成について説明する図である。
【発明を実施するための形態】
【００２０】
以下、図面を参照しながら、本発明の情報処理装置について説明する。説明は、以下の順番で行なう。
１．本発明の情報処理装置の概要について
２．開閉扉の基本動作について
３．本発明の第１実施例
４．本発明の第２実施例
５．本発明の第３実施例
６．本発明の第４実施例
７．本発明のその他の実施例
【００２１】
［１．本発明の情報処理装置の概要について］
まず、本発明の情報処理装置の概要について図１を参照して説明する。本発明の情報処理装置は、画像表示機能とプリンタ機能を兼ね備えた装置である。いわゆるデジタルフォトフレームとしての機能とプリンタとしての機能を持つ。図１には本発明の情報処理装置１００の利用形態を示している。
【００２２】
図１には、本発明の情報処理装置１００の３つの利用形態（Ａ），（Ｂ），（Ｃ）を示している。（Ａ）と（Ｂ）はデジタルフォトフレームとしての利用形態、（Ｃ）はプリンタとしての利用形態である。
図１に示す（Ａ），（Ｂ），（Ｃ）各々の設定ポジションを以下のように定義する。
（Ａ）横画像表示ポジション
（Ｂ）縦画像表示ポジション
（Ｃ）印刷ポジション
【００２３】
（Ａ）横画像表示ポジションは、表示部１１１に横長の表示画像を表示するために適したポジションである。
（Ｂ）縦画像表示ポジションは、表示部１１１に縦長の表示画像を表示するために適したポジションである。
（Ｃ）印刷ポジションは、プリンタ部１２０を利用した印刷処理を実行するためのポジションである。
【００２４】
情報処理装置１００は図１に示すように、液晶表示部（ＬＣＤ）等からなる表示部１１１を備えたフォトフレーム部１１０と、プリンタ部１２０によって構成される。フォトフレーム部１１０とプリンタ部１２０は、図１（Ａ）の下端部近傍に設定された回転軸によって連結されており、相互に回動可能な構成となっている。回動することで、図１（Ｃ）のような印刷ポジションの設定となる。
【００２５】
図１（Ａ），（Ｂ）に示す画像表示ポジションは、フォトフレーム部１１０を、プリンタ部１２０に密着させた閉じた状態である。この（Ａ），（Ｂ）に示す画像表示ポジションは、横置きと縦置きの変更のみである。図１（Ｃ）に示す印刷ポジションは、フォトフレーム部１１０を、プリンタ部１２０から離間させるように回動させて開いた状態である。
【００２６】
情報処理装置１００は、
（Ａ）横画像表示ポジション
（Ｂ）縦画像表示ポジション
（Ｃ）印刷ポジション
これらの３ポジションのいずれの状態にあるかを判別する位置センサ、例えば三次元センサを情報処理装置１００の内部に備えている。
【００２７】
このセンサの検出情報に応じて、（Ａ）横画像表示ポジション、（Ｂ）縦画像表示ポジションのいずれにおいても、表示画像１３０は、上下方向が正しく表示される。（Ｃ）印刷ポジションにあると判別された場合、図１（Ｃ）に示すように、表示部１１１に、プリンタ部１２０の制御情報や設定情報から構成されるアイコンなどの印刷関連情報１２５を表示する。
【００２８】
さらに、印刷ポジションにあり、かつ、用紙トレイ１２１等の装着が完了し、プリント開始可能状態に設定されたことが確認された場合、フォトフレーム部１１０の右端に構成された操作パネル１１２上にプリンタの操作スイッチ等のプリンタ用アイコン１２６を表示する。
【００２９】
本発明の情報処理装置１００をプリンタとして利用する場合、図１（Ｃ）に示す印刷ポジションに設定して、用紙トレイ１２１を装着することが必要となる。図２を参照して印刷処理を行う場合の手順について説明する。
【００３０】
プリンタとして利用する場合、図１（Ｃ）に示す印刷ポジションに設定し、図２（Ｃ１）に示すように、用紙トレイ１２１を装着する。その後、ユーザが図１（Ｃ）に示す［ＰＲＩＮＴ］の文字列を持つプリンタ用アイコン１２６を触れる、または押下することでプリントが開始される。あるいは付属のリモコンに備えられたプリント開始スイッチを操作することでプリントが開始される。図１（Ｃ）に示すプリンタ用アイコン１２６上はタッチセンサとして構成されており、ユーザの指の接触を検出する。検出情報は情報処理装置内の制御部に入力され、制御部の制御の下でプリンタ部１２０の動作が開始される。なお、タッチセンサの有効化処理もプリンタ用アイコン１２６の表示処理に同期して実行される。従って、情報処理装置１００が、（Ａ）横画像表示ポジション、または（Ｂ）縦画像表示ポジションに設定されている状態では、ユーザがプリンタ用アイコン１２６上の位置に触れてもプリンタ動作は開始されない。
【００３１】
なお、図２（Ｃ１）に示すようにプリンタ部１２０の背面には、プリント用紙の排紙口である用紙排紙口１５１が設定される。開閉扉１５２は印刷ポジションに設定した場合に回動して開く構成となっている。
【００３２】
印刷実行時には、図２（Ｃ２）に示すように、プリント用紙１６０がプリンタ部１２０の背面の用紙排紙口１５１を入出する処理を繰り返してプリント処理が実行される。例えばＹＭＣの各色単位で印刷処理が実行され、各色の印刷処理ごとにプリント用紙１６０が、用紙排紙口１５１を介してプリンタ部１２０に出入りし、全ての色の印刷が終了すると、カラー印刷されたプリント用紙１６０が排出される。
【００３３】
［２．開閉扉の基本動作について］
次に、用紙排紙口１５１の開閉扉１５２の基本的な動作について説明する。図３には、先に図１を参照して説明した３つのポジションにおける開閉扉１５２の開閉状態を示している。先に図１を参照して説明したように、情報処理装置１００は、
（Ａ）横画像表示ポジション
（Ｂ）縦画像表示ポジション
（Ｃ）印刷ポジション
これらの３ポジションで利用することができる。
【００３４】
開閉扉１５２は、図３に示すように、（Ｃ）印刷ポジションでは開いた（オープン）状態であることが必要である。しかし、（Ａ）横画像表示ポジション、（Ｂ）縦画像表示ポジションにある場合は、ホコリなどの進入を防止するため、図３に示すように閉じた（クローズ）状態にすることが好ましい。
【００３５】
開閉扉の機構と、（Ｃ）印刷ポジションと（Ａ）横画像表示ポジション間の移行時の開閉扉の動作について図４を参照して説明する。図４（１）分解図に示すように、開閉扉１５２は、その両端に回転軸２０１を有する。回転軸２０１は装置本体の用紙排紙口１５１の両端に設けられた軸受２０２に装着される。回転軸２０１が軸受け２０２内部で回転することで開閉扉１５２が用紙排紙口１５１を開閉する。
【００３６】
（Ｃ）印刷ポジションと（Ａ）横画像表示ポジション間の移行に限れば、開閉扉１５２の回転軸の位置と回転角αを工夫することで開閉扉１５２の自重によって自動開閉させることができる。
【００３７】
図４（１）分解図は印刷ポジションにある場合の配置であり、Ｘ方向が水平方向、Ｙ方向が垂直方向、Ｚ方向が奥行き方向（装置内部方向）に対応する。図４（１）に示すように、軸受２０２を用紙排紙口１５１の垂直方向（Ｙ方向）の中心（高さ中心）より下側とし、回転軸２０１を開閉扉１５２の厚み中心から装置内部側に偏心させ、さらに、図４（２ａ）開閉図ａに示すように、開閉扉１５２の回転角αを９０度以下に設定する。
【００３８】
例えばこのような設定とすれば、開閉扉１５２はその自重により、図４（２ａ）に示すように、印刷ポジションに設定すれば、開状態（オープン）となり、横画像表示ポジションに設定した場合は、図４（２ｂ）に示すように閉状態（クローズ）となる。
【００３９】
しかし、図１（Ｂ）に示す縦画像表示ポジションに設定した場合は、このような回転軸の配置や、回転角の工夫は開閉扉１５２の自動開閉に寄与しない。すなわち、図５（１）に示すように、例えば（Ｃ）印刷ポジションから、（Ｂ）縦画像表示ポジションに移行した場合、開閉扉１５２は開いたままの状態となってしまう場合がある。
【００４０】
理想的には、図５（２）に示すように、（Ｃ）印刷ポジションから、（Ｂ）縦画像表示ポジションに移行した場合、開閉扉１５２が閉じた状態になるのが好ましい。本発明は、この図５（２）に示すような開閉扉を実現する。
【００４１】
［３．本発明の第１実施例］
本発明の第１実施例について、図６〜図８を参照して説明する。図６は本発明の第１実施例に係る開閉扉の回転軸とプリンタ部の排紙口の軸受構造を説明する図である。図６の左側に示す図は、情報処理装置１００を縦画像表示ポジションに設定した図である。フォトフレーム部１１０が左側（Ｌ）、プリンタ部１２０が右側（Ｒ）に示されている。開閉扉１５２は、プリンタ部１２０の排紙口１５１から分解して示してある。
【００４２】
なお、図６に縦画像表示ポジションとして示す情報処理装置１００は、図１の（Ｂ）縦画像表示ポジションに示すやや傾斜した情報処理装置と１００と異なり、簡易的に矩形型として垂直に立てた構成として示している。第１実施例は、縦画像表示ポジションにおける開閉扉１５２の下側の回転軸２１１と排紙口１５２の下側の軸受け２１２に改良を加えたものである。この第１実施例の構成を用いることで、図６に示す情報処理装置１００のように完全な垂直の設定でも、図１（Ｂ）のようにやや傾斜した縦画像表示ポジションの設定でも自動的に開閉扉１５２が閉じる構成を持つ。
【００４３】
なお、図６に示す開閉扉１５２と排紙口１５１の上側（縦画像表示ポジションで上側）の回転軸と軸受けは一般的な円柱状の回転軸と円筒状の軸受けの組み合わせ構成でよい。
【００４４】
縦画像表示ポジションにおける開閉扉１５２の下側の回転軸２１１と排紙口１５２の下側の軸受け２１２の詳細構成について説明する。
図６（１ａ）は、開閉扉１５２の下側の回転軸２１１の拡大図である。
図６（１ｂ）は、排紙口１５１の下側の軸受け２１２の拡大図である。
各図に示す（Ｌ），（Ｒ）の記号は、回転軸、軸受けの方向を明確にするために記載した記号である。（Ｌ）＝（左側）、（Ｒ）＝（右側）を意味する。情報処理装置１００と開閉扉１５２の各々に示す左（Ｌ）と，右（Ｒ）に対応させて示している。図６（１ａ）に示す回転軸２１１の方向は、図６（１ｂ）に示す軸受け２１２と同一の方向にある状態であり、排紙口１５１を閉じた状態に対応する。
【００４５】
図６（１ａ）に示す開閉扉１５２の下側の回転軸２１１は、円柱状ではなく、左右対称にない円錐状の凸部を有する。円錐の頂点が回転軸の中心上ではなく、一方向にずれた偏りを持つ偏心した構成を有する。偏心円錐の一方の面が急な傾斜面として形成され、他方の面が緩やかな傾斜面として形成されている。図に示す例では、Ｌ側が急斜面、Ｒ側が緩やかな斜面である。
【００４６】
図６（１ｂ）に示す排紙口１５１の下側の軸受け２１２は、図６（１ａ）に示す偏心した円錐形に対応する形状を有する。すなわち、軸受け２１２は、偏心した円錐形に対応する凹部を有し、開閉扉１５２が排紙口を閉じた状態となったときに回転軸２１１に契合する形状を持つ。凹部の一方の面が急な傾斜面として形成され、他方の面が緩やかな傾斜面として形成されている。図に示す例では、Ｌ側が急斜面、Ｒ側が緩やかな斜面である。
【００４７】
図７を参照して、本実施例に係る回転軸２１１と軸受け２１２の詳細構造と、開閉扉１５２の開閉動作について説明する。
図７（１ｃ）は、回転軸２１１の側面図、正面図、下面図を示している。図７（１ｃ）に示す回転軸２１１の側面図は、図６の縦画像表示ポジションにおいて正面から見た図に相当する。正面図は、図６の縦画像表示ポジションにおいて（Ｒ）側から見た図に相当する。下面図は、図６の縦画像表示ポジションにおいて下側から見た図に相当する。
【００４８】
図７（１ｄ）は、印刷ポジションから縦画像ポジションに変更した際の開閉扉１５２の動きを時系列に示した図である。上から下に（ｔ１），（ｔ２），（ｔ３）と時系列に開閉扉１５２が徐々に閉じる様子を示している。
【００４９】
時間（ｔ１）は、印刷ポジションに設定されていた情報処理装置を縦画像表示ポジションに設定した直後の状態である。この時点では、開閉扉１５２は、開いた状態にある。なお、図７（１ｅ）に印刷ポジション設定時の状態を示している。図７（１ｅ）の印刷ポジションにおける（上）側、（下）側が、図７（１ｄ）の時間（ｔ１）では、それぞれ（Ｌ（左側）），（Ｒ（右側））となる。
【００５０】
時間（ｔ１）において、開閉扉の回転軸と軸受けは契合した状態（密接状態）にない。すなわち、開閉扉の偏心円錐形の回転軸の頂点は、軸受けの最深部に一致しておらず、開閉扉の偏心円錐形の回転軸の頂点は、軸受けの緩やかな傾斜面上にある。この状態では、開閉扉１５２と回転軸２１１は、軸受け２１２からやや浮き上がった状態にある。
【００５１】
図８（１ｆ）に、図７（１ｄ）の時間（ｔ１）〜（ｔ３）と同じタイミングの回転軸２１１の頂点の軸受け２１２での移動シーケンスを示している。
図８（１ｇ）は、時間（ｔ１）から時間（ｔ３）までの回転軸の頂点の軸受け２１２での移動軌跡を示している。
【００５２】
図７（１ｄ）の時間（ｔ１）で、開閉扉１５２の回転軸２１１に形成された偏心円錐形の頂点は、開閉扉１５２の自重により下方向に落下しようとする。結果として、軸受けの緩やかな傾斜面をすべり落ちる方向に移動する。この移動に伴い回転軸２１１が回転し、開閉扉１５２は排紙口１５１を閉じる方向に回転する。
【００５３】
図７（１ｄ）の時間（ｔ２）がその過程の図である。ただしこの時間（ｔ２）においても、開閉扉１５２の回転軸２１１と軸受け２１２は契合した状態（密接状態）にない。すなわち、開閉扉１５２の偏心円錐形の回転軸２１１の頂点は、軸受け２１２の最深部に一致しておらず、回転軸２１１の頂点は、軸受け２１２の緩やかな傾斜面上にある。
図８（１ｆ）（１ｇ）から理解されるように、時間（ｔ１）から（ｔ２）に至ると、回転軸２１１の頂点は、軸受け２１２の緩やかな傾斜面をやや下った位置に移動する。
【００５４】
さらに、時間が経過すると図７（１ｄ）の時間（ｔ３）に示す状態になる。時間（ｔ３）に示す状態は開閉扉１５２の回転軸２１１と軸受け２１２が契合した状態（密接状態）である。すなわち、開閉扉１５２の偏心円錐形の回転軸２１１の頂点が、軸受け２１２の最深部に一致した状態である。この状態は開閉扉１５２が排紙口を完全に閉じた状態である。
図８（１ｆ）（１ｇ）から理解されるように、時間（ｔ３）に至ると、回転軸２１１の頂点は、軸受け２１２の最深部に移動し、この位置で安定する。すなわちロック状態になり安定する。
【００５５】
このように、本発明の第１実施例の開閉扉１５２の回転軸２１１は偏心した円錐形を有し、排紙口１５１側の軸受け２１２は、開閉扉１５２が閉じた状態で回転軸２１１の形状に契合する凹部を有する。この構成により、回転軸２１１の端部方向に開閉扉１５２の自重が印加される姿勢に設定された場合、例えば情報処理装置が縦画像表示ポジションに設定された場合、開閉扉１５２の自重によって、開閉扉１５２が排紙口１５１を閉じるように回転し、排紙口１５１を閉じた状態で安定状態（ロック状態）となる。このように本実施例の構成によれば、ユーザが、印刷ポジションから縦画像表示ポジションに姿勢を変更した場合に開閉扉１５２の開閉処理を忘れても自動的に開閉扉１５２が排紙口１５１を閉じるように回転するので、ほこりの進入等を防止することが可能となる。
【００５６】
［４．本発明の第２実施例］
次に、本発明の第２実施例について、図９〜図１２を参照して説明する。図９は本発明の第２実施例に係る開閉扉の回転軸とプリンタ部の排紙口の軸受構造を説明する図である。図９の左側に示す図は、情報処理装置１００を縦画像表示ポジションに設定した図である。フォトフレーム部１１０が左側（Ｌ）、プリンタ部１２０が右側（Ｒ）に示されている。開閉扉１５２は、プリンタ部１２０の排紙口１５１から分解して示してある。なお、図９に縦画像表示ポジションとして示す情報処理装置１００は、先の第１実施例において参照した図６と同様、簡易的に矩形型として垂直に立てた構成として示している。
【００５７】
第２実施例も第１実施例と同様、縦画像表示ポジションにおける開閉扉１５２の下側の回転軸２２１と排紙口１５２の下側の軸受け２２２に改良を加えたものである。この第２実施例の構成を用いることで、図９に示す情報処理装置１００のように完全な垂直の設定でも、図１（Ｂ）のようにやや傾斜した縦画像表示ポジションの設定でも自動的に開閉扉１５２が閉じる構成を持つ。
【００５８】
なお、図９に示す開閉扉１５２と排紙口１５１の上側（縦画像表示ポジションで上側）の回転軸と軸受けは一般的な円柱状の回転軸と円筒状の軸受けの組み合わせ構成でよい。
【００５９】
縦画像表示ポジションにおける開閉扉１５２の下側の回転軸２２１と排紙口１５２の下側の軸受け２２２の詳細構成について説明する。
図９（２ａ）は、開閉扉１５２の下側の回転軸２２１の拡大図である。
図９（２ｂ）は、排紙口１５１の下側の軸受け２２２の拡大図である。
各図に示す（Ｌ），（Ｒ）の記号は、（Ｌ）＝（左側）、（Ｒ）＝（右側）を意味する。情報処理装置１００と開閉扉１５２の各々に示す左（Ｌ）と，右（Ｒ）に対応させて示している。図９（２ａ）に示す回転軸２２１の方向は、図９（２ｂ）に示す軸受け２２２と同一の方向にある状態であり、排紙口１５１を閉じた状態に対応する。
【００６０】
図９（２ａ）に示す開閉扉１５２の下側の回転軸２２１は、傾斜レール２２５を有する。
また、図９（２ｂ）に示す排紙口１５１の下側の軸受け２２２は、回転軸２２１の傾斜レール２２５に対して、開閉扉１５２の閉状態で契合する傾斜溝２２８を有する。
【００６１】
図１０以下を参照して、本実施例に係る回転軸２２１と軸受け２２２の詳細構造と、開閉扉１５２の開閉動作について説明する。
図１０は、（２ｃ）回転軸構造、（２ｄ）軸受け構造の詳細を示している。
【００６２】
図１０（２ｃ）には、開閉扉が開状態（Ｏｐｅｎ）にあるときの回転軸２２１の詳細構成と、開閉扉が閉状態（Ｃｌｏｓｅ）にあるときの回転軸２２１の詳細構成を示している。図１０（２ｃ）に示すように、回転軸２２１は円柱状であり、その回転軸底面２２４に傾斜レール２２５が設けられている。
【００６３】
傾斜レール２２５は、回転軸底面２２４を構成する円の一部領域に円周方向に沿った傾斜面として構成される。傾斜レール２２５は、回転軸底面２２４から最も突き出た点を頂点２２６とし、頂点２２６から円周方向に沿って傾斜して傾斜面の終了地点で回転軸底面２２４と同一高さに至る構成を持つ。傾斜レール２２５の形成領域は、回転軸の回転角（開状態から閉状態の回転角）よりやや大きい角度領域とする。例えば、回転軸の回転角（開状態から閉状態の回転角）が９０度であれば、傾斜レール２２５は回転軸底面２２４の円周（全体で３６０度領域）中、９０度よりやや大きい領域に形成する。
【００６４】
図１０（２ｄ）に示すように、軸受け２２２には、円錐上の底面に傾斜溝２２８が形成された構成を持つ。傾斜溝２２８は、回転軸２２１の傾斜レール２２５が、閉状態において契合（密接）する構成となっている。図１０（２ｄ）に示すように、軸受け２２２の傾斜溝２２８は、最深部ｐ（谷部）〜最浅部ｑによって構成されている。
【００６５】
回転軸２２１の傾斜レール２２５の閉状態において、傾斜レール２２５の頂点２２６が、軸受け２２２の傾斜溝２２８の最深部ｐに至る。開状態に移行すると、傾斜レール２２５の頂点２２６は、軸受け２２２の傾斜溝２２８の最深部ｐから最浅部ｑに移動することになる。
【００６６】
図１１、図１２を参照して、本実施例に係る軸受け２２２内の回転軸２２１の回転による開閉扉１５２の開閉動作について説明する。
図１１（２ｅ）は、印刷ポジションから縦画像ポジションに変更した際の開閉扉１５２の動きを時系列に示した図である。上から下に（ｔ１），（ｔ２），（ｔ３）と時系列に開閉扉１５２が徐々に閉じる様子を示している。
【００６７】
時間（ｔ１）は、印刷ポジションに設定されていた情報処理装置を縦画像表示ポジションに設定した直後の状態である。この時点では、開閉扉１５２は、開いた状態にある。なお、図１１（２ｆ）に印刷ポジション設定時の状態を示している。図１１（２ｆ）の印刷ポジションにおける（上）側、（下）側が、図１１（２ｅ）の時間（ｔ１）では、それぞれ（Ｌ（左側）），（Ｒ（右側））となる。
【００６８】
時間（ｔ１）において、開閉扉１５２の回転軸２２１の傾斜レールと軸受け２２２の傾斜溝は契合した状態（密接状態）にない。
すなわち、開閉扉１５２の回転軸２２１の傾斜レールの頂点は、軸受け２２２の傾斜溝の最深部に一致しておらず、回転軸２２１の傾斜レールの頂点は、軸受けの傾斜面の最浅部近辺にある。この状態では、開閉扉１５２と回転軸２２１は、軸受け２２２からやや浮き上がった状態にある。
【００６９】
図１２（２ｇ）に、図１１（２ｅ）の時間（ｔ１）〜（ｔ３）と同じタイミングの回転軸２２１の頂点の軸受け２２２での移動シーケンスを示している。
図１２（２ｈ）は、時間（ｔ１）から時間（ｔ３）までの回転軸２２１の傾斜レールの頂点の移動軌跡、すなわち、軸受け２２２内の傾斜溝２２８における移動軌跡を示している。
【００７０】
図１１（２ｅ）の時間（ｔ１）で、開閉扉１５２の回転軸２２１に形成された傾斜レールの頂点は、開閉扉１５２の自重により下方向に落下しようとする。結果として、軸受けの傾斜溝をすべり落ちる方向に移動する。この移動に伴い回転軸２２１が回転し、開閉扉１５２は排紙口１５１を閉じる方向に回転する。
【００７１】
図１１（２ｅ）の時間（ｔ２）がその過程の図である。ただしこの時間（ｔ２）においても、開閉扉１５２の回転軸２２１の傾斜レール頂点と軸受け２２２の傾斜溝最深部は契合した状態（密接状態）にない。すなわち、開閉扉１５２の回転軸２２１の傾斜レール頂点は、軸受け２２２の傾斜溝最深部に一致しておらず、２２１の傾斜レール頂点は、軸受け２２２の傾斜溝の途中にある。
図１２（２ｇ）（２ｈ）から理解されるように、時間（ｔ１）から（ｔ２）に至ると、回転軸２２１の傾斜レール頂点は、軸受け２２２の傾斜溝をやや下った位置（浅→深）に移動する。
【００７２】
さらに、時間が経過すると図１１（２ｅ）の時間（ｔ３）に示す状態になる。時間（ｔ３）において、開閉扉１５２の回転軸２２１の傾斜レール２２５と、軸受け２２２の傾斜溝２２８が契合した状態（密接状態）になる。すなわち、開閉扉１５２の傾斜レール２２５の頂点が、軸受け２２２の傾斜溝２２８の最深部に一致した状態である。この状態は開閉扉１５２が排紙口を完全に閉じた状態である。
図１２（２ｇ）（２ｈ）から理解されるように、時間（ｔ３）に至ると、回転軸２２１の傾斜レール２２５の頂点は、軸受け２２２の傾斜溝２２８の最深部に移動し、この位置で安定する。すなわちロック状態になり安定する。
【００７３】
このように、本発明の第２実施例の開閉扉１５２の回転軸２２１は円柱状の軸底面に傾斜レール２２５を有し、排紙口１５１側の軸受け２２２は、開閉扉１５２が閉じた状態で回転軸２２１の傾斜レール２２５に契合する傾斜溝２２８を有する。この構成により、回転軸２２１の端部方向に開閉扉１５２の自重が印加される姿勢に設定された場合、具体的には例えば情報処理装置が縦画像表示ポジションに設定された場合、開閉扉１５２の自重によって、開閉扉１５２が排紙口１５１を閉じるように回転し、排紙口１５１を閉じた状態で安定状態（ロック状態）となる。このように本実施例の構成によれば、ユーザが、印刷ポジションから縦画像表示ポジションに姿勢を変更した場合に開閉扉１５２の開閉処理を忘れても自動的に開閉扉１５２が排紙口１５１を閉じるように回転するので、ほこりの進入等を防止することが可能となる。
【００７４】
［５．本発明の第３実施例］
次に、本発明の第３実施例について、図１３〜図１４を参照して説明する。図１３は本発明の第３実施例に係る開閉扉の回転軸とプリンタ部の排紙口の軸受構造を説明する図である。図１３の左側に示す図は、情報処理装置１００を縦画像表示ポジションに設定した図である。フォトフレーム部１１０が左側（Ｌ）、プリンタ部１２０が右側（Ｒ）に示されている。開閉扉１５２は、プリンタ部１２０の排紙口１５１から分解して示してある。なお、図１３に縦画像表示ポジションとして示す情報処理装置１００は、先の実施例において参照した図６、図９と同様、簡易的に矩形型として垂直に立てた構成として示している。
【００７５】
第３実施例も第１〜第２実施例と同様、縦画像表示ポジションにおける開閉扉１５２の下側の回転軸２３１と排紙口１５２の下側の軸受け２３２に改良を加えたものである。この第３実施例の構成を用いることで、図１３に示す情報処理装置１００のように完全な垂直の設定でも、図１（Ｂ）のようにやや傾斜した縦画像表示ポジションの設定でも開閉扉１５２を閉じた状態で安定させることが可能となる。すなわちロック機構を持つ。
【００７６】
なお、図１３に示す開閉扉１５２と排紙口１５１の上側（縦画像表示ポジションで上側）の回転軸と軸受けは一般的な円柱状の回転軸と円筒状の軸受けの組み合わせ構成でよい。
【００７７】
縦画像表示ポジションにおける開閉扉１５２の下側の回転軸２３１と排紙口１５２の下側の軸受け２３２の詳細構成について説明する。
図１３（３ａ）は、開閉扉１５２の下側の回転軸２３１の拡大図である。
図１３（３ｂ）は、排紙口１５１の下側の軸受け２３２の拡大図である。
各図に示す（Ｌ），（Ｒ）の記号は、（Ｌ）＝（左側）、（Ｒ）＝（右側）を意味する。情報処理装置１００と開閉扉１５２の各々に示す左（Ｌ）と，右（Ｒ）に対応させて示している。図１３（３ａ）に示す回転軸２３１の方向は、図１３（３ｂ）に示す軸受け２３２と同一の方向にある状態であり、排紙口１５１を閉じた状態に対応する。
【００７８】
図１３（３ａ）に示す開閉扉１５２の下側の回転軸２３１は、回転軸２３１の底面に突部２３５を有する。
また、図１３（３ｂ）に示す排紙口１５１の下側の軸受け２３２は、回転軸２３１の突部２３５に対して、開閉扉１５２の閉状態で契合する凹部２３８を有する。
【００７９】
図１４を参照して、本実施例に係る回転軸２３１と軸受け２３２の詳細構造と、開閉扉１５２の開閉動作について説明する。
図１４（３ｃ）は、回転軸２３１の側面図、正面図、下面図を示している。図１４（３ｃ）に示す回転軸２３１の側面図は、図１３の縦画像表示ポジションにおいて正面から見た図に相当する。正面図は、図１３の縦画像表示ポジションにおいて（Ｒ）側から見た図に相当する。下面図は、図１３の縦画像表示ポジションにおいて下側から見た図に相当する。
【００８０】
図１４（３ｄ）は、印刷ポジションから縦画像ポジションに変更した際の開閉扉１５２の動きを時系列に示した図である。上から下に（ｔ１），（ｔ２）と時系列に開閉扉１５２が閉じる様子を示している。
【００８１】
時間（ｔ１）は、印刷ポジションに設定されていた情報処理装置を縦画像表示ポジションに設定した直後の状態である。この時点では、開閉扉１５２は、開いた状態にある。なお、図１４（３ｅ）に印刷ポジション設定時の状態を示している。図１４（３ｅ）の印刷ポジションにおける（上）側、（下）側が、図１４（３ｄ）の時間（ｔ１）では、それぞれ（Ｌ（左側）），（Ｒ（右側））となる。
【００８２】
時間（ｔ１）において、開閉扉１５２の回転軸２３１の突部２３５と軸受け２３２の凹部２３８は契合した状態（密接状態）にない。
すなわち、開閉扉１５２の回転軸２３１の突部２３５と軸受け２３２の凹部２３８は一致しておらず、回転軸２３１の突部２３５は、軸受けの底面の平面上にある。この状態では、開閉扉１５２と回転軸２３１は、軸受け２３２からやや浮き上がった状態にある。
【００８３】
ユーザによる開閉扉１５２の操作により、図１４（３ｄ）の時間（ｔ２）に示す状態になる。時間（ｔ２）において、開閉扉１５２の回転軸２３１の突部２３５は、軸受け２３２の凹部２３８と契合した状態（密接状態）になる。すなわち、開閉扉１５２の突部２３５が軸受け２３２の凹部２３８に一致した状態である。この状態は開閉扉１５２が排紙口を完全に閉じた状態である。開閉扉１５２は、この位置で安定する。すなわちロック状態になり安定する。
【００８４】
このように、本発明の第３実施例の開閉扉１５２の回転軸２３１は円柱状の軸底面に突部２３５を有し、排紙口１５１側の軸受け２３２は、開閉扉１５２が閉じた状態で回転軸２３１の突部２３５に契合する凹部２３８を有する。この構成により、回転軸２３１の端部方向に開閉扉１５２の自重が印加される姿勢に設定された場合、具体的には例えば、情報処理装置が縦画像表示ポジションに設定された場合、開閉扉１５２の自重によって、開閉扉１５２の回転軸２３１に設けられた突部２３５は、排紙口１５１側の軸受け２３２の底面に設けられた凹部２３８に納まり、排紙口１５１を閉じた状態で安定状態（ロック状態）となる。このように本実施例の構成によれば、ユーザが、印刷ポジションから縦画像表示ポジションに姿勢を変更した場合に開閉扉１５２を閉じれば、その後、開閉扉１５２が開いてしまうことが防止されるので、ほこりの進入等を防止することが可能となる。
【００８５】
［６．本発明の第４実施例］
次に、本発明の第４実施例について、図１５〜図１６を参照して説明する。図１５は本発明の第４実施例に係る開閉扉の回転軸とプリンタ部の排紙口の軸受構造を説明する図である。図１５の左側に示す図は、情報処理装置１００を縦画像表示ポジションに設定した図である。フォトフレーム部１１０が左側（Ｌ）、プリンタ部１２０が右側（Ｒ）に示されている。開閉扉１５２は、プリンタ部１２０の排紙口１５１から分解して示してある。なお、図１５に縦画像表示ポジションとして示す情報処理装置１００は、先の実施例において参照した図６、図９、図１３と同様、簡易的に矩形型として垂直に立てた構成として示している。
【００８６】
第４実施例は、縦画像表示ポジションにおける開閉扉１５２の下側の回転軸２４１形成面と排紙口１５１の下側の軸受け２４２形成面に改良を加えたものである。この第４実施例の構成を用いることで、図１５に示す情報処理装置１００のように完全な垂直の設定でも、図１（Ｂ）のようにやや傾斜した縦画像表示ポジションの設定でも開閉扉１５２を閉じた状態で安定させることが可能となる。すなわちロック機構を持つ。
【００８７】
なお、図１５に示す開閉扉１５２と排紙口１５１の上側（縦画像表示ポジションで上側）の回転軸と軸受けは一般的な円柱状の回転軸と円筒状の軸受けの組み合わせ構成でよい。
【００８８】
縦画像表示ポジションにおける開閉扉１５２の下側の回転軸２４１の形成面と排紙口１５２の下側の軸受け２４２の形成面の詳細構成について説明する。
図１５（４ａ）は、開閉扉１５２の下側の回転軸２４１近傍の拡大図である。
図１５（４ｂ）は、排紙口１５１の下側の軸受け２４２近傍の拡大図である。
各図に示す（Ｌ），（Ｒ）の記号は、（Ｌ）＝（左側）、（Ｒ）＝（右側）を意味する。情報処理装置１００と開閉扉１５２の各々に示す左（Ｌ）と，右（Ｒ）に対応させて示している。図１５（４ａ）に示す回転軸２４１の方向は、図１５（４ｂ）に示す軸受け２４２と同一の方向にある状態であり、排紙口１５１を閉じた状態に対応する。
【００８９】
図１５（４ａ）に示す開閉扉１５２の下側の回転軸２４１の形成された回転軸形成面２４４に突部２４５を有する。
また、図１５（４ｂ）に示す排紙口１５１の下側の軸受け２４２の形成された軸受け形成面２４７は、開閉扉１５２の回転軸形成面２４４の突部２４５に対して、開閉扉１５２の閉状態で契合する凹部２４８を有する。
【００９０】
図１６を参照して、本実施例の詳細構造と、開閉扉１５２の開閉動作について説明する。
図１６（４ｃ）は、回転軸２４１形成部の側面図、正面図、下面図を示している。図１６（４ｃ）に示す回転軸２４１形成部の側面図は、図１５の縦画像表示ポジションにおいて正面から見た図に相当する。正面図は、図１５の縦画像表示ポジションにおいて（Ｒ）側から見た図に相当する。下面図は、図１５の縦画像表示ポジションにおいて下側から見た図に相当する。
【００９１】
図１６（４ｄ）は、印刷ポジションから縦画像ポジションに変更した際の開閉扉１５２の動きを時系列に示した図である。上から下に（ｔ１），（ｔ２）と時系列に開閉扉１５２が閉じる様子を示している。
【００９２】
時間（ｔ１）は、印刷ポジションに設定されていた情報処理装置を縦画像表示ポジションに設定した直後の状態である。この時点では、開閉扉１５２は、開いた状態にある。なお、図１６（４ｅ）に印刷ポジション設定時の状態を示している。図１６（４ｅ）の印刷ポジションにおける（上）側、（下）側が、図１６（４ｄ）の時間（ｔ１）では、それぞれ（Ｌ（左側）），（Ｒ（右側））となる。
【００９３】
時間（ｔ１）において、開閉扉１５２の回転軸形成面２４４の突部２４５と軸受け形成面２４７の凹部２４８は契合した状態（密接状態）にない。
すなわち、開閉扉１５２の回転軸形成面２４４の突部２４５と軸受け形成面２４７の凹部２４８は一致しておらず、回転軸形成面２４４の突部２４５は、軸受け形成面２４７の平面上にある。この状態では、回転軸形成面２４４は、軸受け形成面２３２からやや浮き上がった状態にある。
【００９４】
ユーザによる開閉扉１５２の操作により、図１６（４ｄ）の時間（ｔ２）に示す状態になる。時間（ｔ２）において、開閉扉１５２の回転軸形成面２４４の突部２４５は、軸受け形成面２４７の凹部２４８と契合した状態（密接状態）になる。すなわち、開閉扉１５２の回転軸形成面２４４の突部２４５が軸受け形成面２４７の凹部２４８に一致した状態である。この状態は開閉扉１５２が排紙口を完全に閉じた状態である。開閉扉１５２は、この位置で安定する。すなわちロック状態になり安定する。
【００９５】
このように、本発明の第４実施例の開閉扉１５２は、回転軸形成面２４４に突部２４５を有し、排紙口１５１側の軸受け形成面２４７は、開閉扉１５２が閉じた状態で突部２４５に契合する凹部２４８を有する。この構成により、回転軸２４１の端部方向に開閉扉１５２の自重が印加される姿勢に設定された場合、具体的には例えば、情報処理装置が縦画像表示ポジションに設定された場合、開閉扉１５２の自重によって、突部２４５は、排紙口１５１側の軸受け形成面２４７に設けられた凹部２４８に納まり、排紙口１５１を閉じた状態で安定状態（ロック状態）となる。このように本実施例の構成によれば、ユーザが、印刷ポジションから縦画像表示ポジションに姿勢を変更した場合に開閉扉１５２を閉じれば、その後、開閉扉１５２が開いてしまうことが防止されるので、ほこりの進入等を防止することが可能となる。
【００９６】
［７．本発明のその他の実施例］
以上、第１実施例〜第４実施例の４つの実施例について説明してきた。
これらの実施例中、第１実施例と、第２実施例は、縦画像表示ポジションになった場合に開閉扉を自動的に閉じる自動開閉機構と、縦画像表示ポジションとした場合に開閉扉を閉じた状態に維持するロック機構を有する。
また、第３実施例と第４実施例は縦画像表示ポジションとした場合に開閉扉を閉じた状態に維持するロック機構を有する。
【００９７】
各実施例の構成は、単独で構成するのみならず、組み合わせた構成とすることができる。組み合わせ構成の例としては、以下のような設定がある。
第１実施例と第３実施例の組み合わせ、
第１実施例と第４実施例の組み合わせ、
第２実施例と第３実施例の組み合わせ、
第２実施例と第４実施例の組み合わせ、
このような角実施例の組み合わせにより、自動開閉機構と安定的なロック機構が実現される。
【００９８】
以上、特定の実施例を参照しながら、本発明について詳解してきた。しかしながら、本発明の要旨を逸脱しない範囲で当業者が実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【産業上の利用可能性】
【００９９】
以上、説明したように、本発明の一実施例の構成によれば、プリンタ部および表示部を有するデジタルフォトフレームなどの情報処理装置において、プリンタ利用ポジションを判別してプリンタ利用時にのみ表示部に印刷関連情報を表示することが可能となる。具体的には、フォトフレーム部とプリンタ部を有する情報処理装置において、（Ａ）横画像表示ポジション、（Ｂ）縦画像表示ポジション、（Ｃ）印刷ポジション、これらの３ポジションを、三次元センサを用いて判別する。制御部が、センサ検出信号によって（Ｃ）印刷ポジションにあると判定した場合にのみ表示部に印刷設定情報などの印刷関連情報を表示する。さらに、用紙トレイのセットなど印刷準備が完了したことが確認された場合に、操作パネルに印刷開始用のスイッチとして機能するアイコンを表示する。この構成により、フォトフレームとして利用する場合には、印刷関連情報の表示を行なわず、すっきりとした外観に設定することができる。
【符号の説明】
【０１００】
１００  情報処理装置
１１０  フォトフレーム部
１１１  表示部
１１２  操作パネル
１２０  プリンタ部
１２１  用紙トレイ
１２５  印刷関連情報
１２６  プリンタ用アイコン
１３０  表示画像
１５１  排紙口
１５２  開閉扉
１６０  プリント用紙
２０１  回転軸
２０２  軸受け
２１１  回転軸
２１２  軸受け
２２１  回転軸
２２２  軸受け
２２５  傾斜レール
２２８  傾斜溝
２３１  回転軸
２３２  軸受け
２３５  突部
２３８  凹部
２４１  回転軸
２４２  軸受け
２４５  突部
２４８  凹部
【図６】
2011042113.tif 000003
【図７】
2011042113.tif 000004
【図８】
2011042113.tif 000005
【図９】
2011042113.tif 000006
【図１０】
2011042113.tif 000007
【図１１】
2011042113.tif 000008
【図１２】
2011042113.tif 000009
【図１３】
2011042113.tif 000010
【図１４】
2011042113.tif 000011
【図１５】
2011042113.tif 000012
【図１６】
2011042113.tif 000013
【図１】
2011042113.tif 000014
【図２】
2011042113.tif 000015
【図３】
2011042113.tif 000016
【図４】
2011042113.tif 000017
【図５】
2011042113.tif 000018